(57)【特許請求の範囲】
【請求項１】
機器と、該機器に電気を供給する電源との間に接続される電源アダプタであって、
該電源アダプタが、本体と、該本体の一端に設置され且つ該電源から交流電流を受ける受電部と、該本体の他端に設置され且つ該受電部で受電した交流電流を該機器に供給する送電部と、該本体に設置された１つ以上の表示部と、該受電部で受電した交流電流を直流電流に変換して該表示部に送る制御回路と、を有しており、
前記制御回路が、前記受電部と前記送電部の間に設置されたカレントトランスと、該カレントトランスで生じた交流電流を直流電流に変換する整流平滑部と、該整流平滑部から送られた直流電流を蓄電する蓄電部と、該蓄電部に接続された前記表示部と、該蓄電部に蓄電された電気が予め定めた値を超えたとき該蓄電部から該表示部に電流を流す構成を有する電圧監視部と、を有し、
該表示部が、前記蓄電部から送られた直流電流により、点滅又は点灯する構成を有していることを特徴とする電源アダプタ。
【請求項２】
前記電源アダプタは、複数の前記送電部と、この送電部ごとにそれぞれ接続された前記制御回路とを備える請求項１に記載の電源アダプタ。
【請求項３】
前記カレントトランスが、リング状のコアと、該コアの一部に複数回巻きつけられて構成された２次側コイルと、を有しており、該コアの内部を該送電部の送電側端子の１つが貫通するように配置されたことを特徴とする請求項１又は２に記載の電源アダプタ。
【発明の詳細な説明】
【技術分野】
【０００１】
本発明は、機器と電源の間に設置する電源アダプタに関するものである。
【背景技術】
【０００２】
従来、複数のサーバーは、ラック等に設置され、使用されている。図１１に、サーバー３１が設置されたラック３０の概略を示す。複数のサーバー３１は、ラック３０等に固定されている。また、サーバー３１の電源プラグ３２は、ラック３０に設置された電源タップ３３にそれぞれ接続されている。この複数のサーバー３１は、定期的に電源をオフにされ、メンテナンスされる。
【０００３】
メンテナンスを行う際には、作業者が、まず複数のサーバーの中で対象となるサーバー（以下、対象サーバーという）の電源をオフにする。その後、作業者は、対象サーバーの電源プラグ３２を、電源タップ３３から抜き、対象サーバーの分解作業等を伴うメンテナンスを行う。このメンテナンス等は、ラック３０に設置された複数のサーバー３１の中から、１台ずつ順番に行われる。このとき、電源をオフとされ停止しているサーバーの機能は、他の稼働しているサーバーにより補完されている。
【０００４】
なお、ラック３０等に設置される電源タップ３３の中には、正しくアースされているか否かを示す表示ランプを有したものがある（例えば特許文献１参照）。この電源タップにより、サーバー３１が正しくアースされているかを、監視することができる。
【０００５】
しかし、上記のメンテナンス等の作業は、いくつかの問題点を有している。第１に、作業者が、対象サーバーとは異なる稼働中のサーバーの電源プラグを抜いてしまう可能性があるという問題を有している。これは、ラック３０等の電源タップ３３には、複数のサーバーの電源プラグが接続されており、複数のサーバーには、多数の通信線等が接続されており、電源タップ３３に接続された電源プラグ３２が対象サーバーのものであるか否かを確認することが困難となるからである。特に、作業者の作業領域が、ラック３０の背面等の狭く暗い場所である場合には、電源プラグの確認が更に困難となる。
【０００６】
第２に、メンテナンス等における作業者の作業性を、向上することが困難であるとう問題を有している。これは、作業者は、慎重に電源タップ３３に接続された電源プラグ３２と、電源プラグ３２の先に接続されているサーバー３１の確認を行う必要があるからである。
【先行技術文献】
【特許文献】
【０００７】
【特許文献１】特開２００３−７４０３号公報
【発明の概要】
【発明が解決しようとする課題】
【０００８】
本発明は、上記の問題を鑑みてなされたものであり、その目的は、サーバーのメンテナンス等を行う作業者が、サーバーの電源プラグを抜く際に、サーバーの電源が入っているか否かを容易に判断でき、作業者の作業性を向上することのできる電源アダプタを提供することである。
【課題を解決するための手段】
【０００９】
上記の目的を達成するための本発明に係る電源アダプタは、機器と、該機器に電気を供
給する電源との間に接続される電源アダプタであって、該電源アダプタが、本体と、該本体の一端に設置され且つ該電源から交流電流を受ける受電部と、該本体の他端に設置され且つ該受電部で受電した交流電流を該機器に供給する送電部と、該本体に設置された１つ以上の表示部と、該受電部で受電した交流電流を直流電流に変換して該表示部に送る制御回路と、を有しており、該表示部が、該制御回路から送られた直流電流により、点滅又は点灯する構成を有していることを特徴とする。
【発明の効果】
【００１０】
本発明の構成により、サーバーのメンテナンス等を行う作業者の作業性を向上することができる。これは、作業者が、サーバーへの通電状態をＬＥＤ等の点滅又は点灯により容易に確認できるからである。これにより、作業者はメンテナンス対象であるサーバーに対応する電源プラグを容易に見つけることができ、作業性が飛躍的に向上する。また、作業者が稼働中の機器の電源プラグを誤って抜いてしまう事故も防止できる。
【００１１】
上記の電源アダプタにおいて、前記電源アダプタが、１つの前記受電部に対して複数の前記送電部を有しており、且つ１つ以上の前記表示部と１つ以上の前記制御回路を有するように構成してもよい。この構成により、電源アダプタは電源タップの代わりに使用できるため、サーバーラック等の設置スペースに制限がある場所でも採用可能となる。
【００１２】
上記の電源アダプタにおいて、前記制御回路が、前記受電部と前記送電部の間に設置されたカレントトランスを有しており、前記カレントトランスが、リング状のコアと、該コアの一部に複数回巻きつけられて構成された２次側コイルと、を有しており、該コアの内部を該送電部の送電側端子の１つが貫通するように配置されてもよい。この構成により、送電側端子の近傍の既存のスペースに、カレントトランスのコアを配置できるため、電源アダプタを小型にできる。
【００１３】
上記の電源アダプタにおいて、前記制御回路が、前記受電部と前記送電部の間に設置されたカレントトランスと、該カレントトランスで生じた交流電流を直流電流に変換する整流平滑部と、該整流平滑部から送られた直流電流を蓄電する蓄電部と、該蓄電部に接続された前記表示部と、該蓄電部に蓄電された電気が予め定めた値を超えたとき該蓄電部から該表示部に電流を流す構成を有する電圧監視部と、を有し、該表示部が点滅するように制御されてもよい。この構成により、作業者の作業性を更に向上できる。これは、表示部の点滅により、視認性が向上するからである。
【図面の簡単な説明】
【００１４】
【図１】本発明の電源アダプタの実施形態の概略を示した概略図である。
【図２】本発明の電源アダプタの実施形態の制御回路を示した概略図である。
【図３】制御回路の１例の概略を示した図である。
【図４】制御回路の別の実施形態の概略を示した図である。
【図５】本発明の電源アダプタの別の実施形態の概略を示した概略図である。
【図６】本発明の電源アダプタの別の実施形態の概略を示した概略図である。
【図７】本発明の電源アダプタの別の実施形態の概略を示した概略図である。
【図８】本発明の電源アダプタの実施形態の制御回路を示した概略図である。
【図９】制御回路の別の実施形態を示した概略図である。
【図１０】カレントトランスの１例の概略を示した概略図である。
【図１１】従来のサーバーが設置されたラックを例示する概略図である。
【発明を実施するための形態】
【００１５】
以下、本発明に係る実施の形態の電源アダプタについて、図面を参照しながら説明する。図１に、本発明の実施の形態の電源アダプタ１の概略を示す。電源アダプタ１は、サーバー等の機器と、機器に電気を供給する電源タップ等の電源の間に接続される電源アダプタ１である。この電源アダプタ１は、本体２と、本体２の一端に設置され且つ電源から交流電流を受ける受電部３と、本体２の他端に設置され且つ受電部３で受電した交流電流を機器に供給する送電部４と、本体２に設置された１つ以上の表示部５と、受電部３で受電した交流電流を直流電流に変換して表示部５に送る制御回路６と、を有している。また、表示部５は、制御回路６から送られた直流電流により、点滅又は点灯する構成を有している。
【００１６】
この電源アダプタ１は、例えば、受電部３がラックに設置された電源タップに接続され、送電部４がサーバーの電源プラグに接続される。また、受電部３及び送電部４は、それぞれ受電側端子７及び送電側端子８を有している。この受電部３及び送電部４は、交流電源用のプラグ（３極のプラグ）に対応した形状であり、アース電極を有するものである。更に、表示部５は、例えば送電部４を形成されている面と同一面に設置されており、ＬＥＤやネオンライト等の光源で構成することができる。加えて、制御回路６は、本体２の内部に設置されている。
【００１７】
なお、電源アダプタ１は、アース電極を有さない電源アダプタとして構成することもできる。また、表示部５の設置場所は、上記に限られない。作業者の視認性が良い場所であれば、他の場所であっても設置することができる。更に、図１では、受電部３を雄側形状とし、送電部４を雌側形状としているが、機器や電源の種類や配置により、受電部３を雌側形状とし、送電部４を雄側形状とすることもできる。
【００１８】
図２に、電源アダプタ１の本体２内に設置された制御回路６の概略を示す。受電部３及び送電部４は、３極のプラグに対応する形状となっており、ライブライン（又は非接地側ライン）Ｌと、ニュートラルライン（又は接地側ライン）Ｎと、アースラインＧで、受電側端子７及び送電側端子８がそれぞれ接続されている。また、制御回路６は、１次側コイルをライブラインＬに接続されたカレントトランス１０と、カレントトランス１０の２次側コイルから、整流平滑部１２、振幅制限部１３、及び蓄電部１４を介して接続されたＬＥＤ等で構成された表示部５と、を有している。更に、制御回路６は、カレントトランス１０の２次側コイルの両端に接続された共振用キャパシタ１１を有している。加えて、制御回路６は、蓄電部１４と表示部５の間に、上記の接続と独立して接続された電圧監視部１５を有している。
【００１９】
次に、電源アダプタ１の制御回路６の作動について説明する。まず、カレントトランス１０が、ライブラインＬに流れた交流電流の電流値に比例する電圧を、２次側コイルに生じさせる。ここで、カレントトランス１０の１次側コイルは、ライブラインＬを貫通させる場合と、ライブラインＬを１ターン巻く場合等の複数の方法のいずれかで、ライブラインＬに接続することができる。このため、カレントトランス１０のインピーダンスは低く、電源から機器に大電流が流れるような場合であっても、ライブラインＬで生じる電圧降下を無視できる程度に抑制することができる。また、カレントトランス１０の２次側コイルは、ターン数を任意に決定することができるが、例えば５００〜１０００ターンとすることができる。この２次側コイルのターン数を多くするほど、カレントトランス１０の感度を向上することができる。
【００２０】
次に、カレントトランス１０の２次側コイルで生じた電圧は、共振用キャパシタ１１との間で共振（直列共振）する。ここで、共振用キャパシタ１１の両端に発生する電圧Ｅｃは、以下の式で表すことができる。
【数１】
0005468703.tif 000002
ここで、ｅは共振回路を流れる電圧を示す。また、Ｑは、Ｑ値（Ｑｕａｌｉｔｙ  Ｆａｃｔｏｒ）を示し、以下の式で示される。
【数２】
0005468703.tif 000003
ここで、ωは周波数、Ｌは２次側コイルのインダクタンス、Ｒは２次側コイルの抵抗を示す。以上より、共振用キャパシタ１１の両端に発生する電圧Ｅｃは、共振回路を流れる電圧ｅのＱ倍になる。
【００２１】
また、共振用キャパシタ１１は、共振周波数が５０Ｈｚと６０Ｈｚの間になるように構成することが望ましい。これは、電源の交流電流が５０Ｈｚ又は６０Ｈｚのいずれの場合であっても、同程度の感度を得ることができるからである。
【００２２】
次に、カレントトランス１０の２次側コイルに生じた交流電流は、整流平滑部１２で滑らかな直流電流に変換される。この整流平滑部１２は、複数のダイオード及びキャパシタを有する多倍圧整流回路で構成されることが望ましい。この構成により、感度を向上できるからである。
【００２３】
次に、整流平滑部１２で生成された直流電流は、蓄電部１４に送られ蓄電される。この蓄電部１４は、表示部５のＬＥＤ等を点灯させるために設置されている。ここで、カレントトランス１０の２次側コイルに流れる電流値は、１次側コイルを流れる電流の値を２次側コイルの巻き数で除した値となる。そのため、２次側コイルに流れる電流値は、表示部５のＬＥＤ等を点灯させるには小さい電流値となる。また、２次側コイルで高い電圧を得ることは容易であるが、電流量を増加させようとすると、この電圧が降下してしまう問題があった。以上を解決するべく、本発明では、蓄電部１４に設置したキャパシタ等を、微少電流で充電する構成を採用している。この蓄電部１４の電圧は、振幅制限部１３で制限された電圧まで、徐々に上昇していく。蓄電部１４は、充電電流が大きいほど、電圧が早く上昇する構成を有している。ここで、振幅制限部１３は、蓄電部１４に予め定めた値を超える電圧が生じたとき電圧を逃がす安全装置として設置されている。そのため、振幅制限部１３は、ライブラインＬに大電流が流れた際に、カレントトランス１０の２次側コイルに発生する過大な電圧を制限する構成を有している。
【００２４】
蓄電部１４の電圧は、電圧監視部１５により監視される。この電圧監視部１５は、蓄電部１４の電圧が、表示部５を構成するＬＥＤ等の光源を光らせる電圧に達したか否かを監視する構成を有している。電圧監視部１５は、蓄電部１４の電圧が予め定めた電圧に達したとき、表示部５に充電完了の信号を送る。
【００２５】
表示部５は、電圧監視部１５からの充電完了の信号を受けたとき、蓄電部１４に蓄えられた電気で発光する。その後、蓄電部１４は再び充電を行う。以上の繰り返しにより、表示部５を構成するＬＥＤ等はオン、オフを繰り返し、その結果として点滅することができる。
【００２６】
上記の構成により、電源アダプタ１は、主に以下の作用効果を得ることができる。第１に、サーバー等の機器のメンテナンス等を行う作業者が、稼働中の機器の電源プラグを抜いてしまう事故を防止することができる。これは、作業者が、電源プラグを抜く際に、ＬＥＤ等で構成された電源アダプタの表示部により、機器への通電の有無を確認できるからである。また、電源アダプタ１にスイッチ等を設けない構成により、機器に電力が供給されているにも関わらず、表示部５にその旨が表示されないような事態が発生しないからである。
【００２７】
第２に、作業者の作業性を更に向上することができる。これは、ＬＥＤ等で構成された表示部を点滅させる構成により、作業者の視認性を向上することができるからである。また、作業者は、機器に供給される交流電流の電流量を知ることができるため、更に作業性を向上することができる。これは、電源アダプタを通過する電流量により、ＬＥＤ等で構成された表示部の点滅する速度が変化するからである。具体的には、ライブラインＬを通過する電流量が大きいほど、表示部５を構成するＬＥＤ等の光源の点滅速度が速くなる。
【００２８】
第３に、安全性の高い電源アダプタを提供することができる。これは、カレントトランスの設置により、電源アダプタに設置された表示部を含む制御回路が、受電部３と送電部４の間を流れる電気の電圧である線間電圧を利用しない構成となるからである。
【００２９】
第４に、低コストで電源アダプタ１を提供することができる。これは、電源アダプタ１には、接続された制御回路６を動作させるための電源が不要だからである。
【００３０】
第５に、電源アダプタ１の設置に伴い、機器に供給される電力の損失が増大することを防止できる。これは、電源アダプタ１のインピーダンスが小さいからである。
【００３１】
なお、カレントトランス１０はニュートラルラインＮに接続されてもよい。また、表示部５のＬＥＤ等は、点滅ではなく点灯する構成とすることもできる。ただし、表示部５を点滅させる場合の方が、点灯させる場合に比べ、電源アダプタ１のインピーダンスが低くなるため、有利である。
【００３２】
図３に例示する実施形態の制御回路６Ａは、整流平滑部１２と、振幅制限部１３と、蓄電部１４と、電圧監視部１５と、表示部５と、を有している。整流平滑部１２は、例えば２つの直流阻止用キャパシタＣ１と、２つの平滑用キャパシタＣ２と、４つのダイオードＤ１と、を組み合わせて構成された４倍両波整流回路で構成される。振幅制限部１３は、２つの振幅制限用ツェナーダイオードＺＤ１で構成されている。蓄電部１４は、蓄電用キャパシタで構成されている。電圧監視部１５は、３つのトランジスタＱ１〜Ｑ３を有している。表示部５は、発光ダイオード（ＬＥＤ）５０で構成されている。
【００３３】
次に、制御回路６Ａの制御について説明する。まず、カレントトランス１０の２次側コイルで生じた電流が、整流平滑部１２及び抵抗Ｒを経由して、充電部１４に送られる。充電部１４のキャパシタが所定の電圧まで昇圧されると、電圧監視部１５を構成するトランジスタが、トランジスタＱ２、トランジスタＱ３、トランジスタＱ１の順番でオンとなる。トランジスタＱ１がオンになると、充電部１４のキャパシタに充電された電荷は、表示部５の発光ダイオード５０を通して放電される。このとき、発光ダイオード５０が点灯する。発光ダイオード５０の点灯とほぼ同時に、トランジスタＱ２は、ベース電圧の低下によりオフとなる。トランジスタＱ２のオフにより、トランジスタＱ３もオフとなろうとするが、トランジスタＱ３のベース電流が、電圧監視部１５に設置されたキャパシタＣ３を充電するため、トランジスタＱ３は一定の時間オン状態を維持する。トランジスタＱ３のベース電流が流れなくなると、トランジスタＱ３及びトランジスタＱ１が順番にオフとなり、発光ダイオード５０は消灯する。発光ダイオード５０は、再び充電部１４のキャパシタが充電されるまで消灯状態を持続する。この制御回路６Ａにより、表示部５の発光ダイオード５０を点滅させることができる。
【００３４】
なお、振幅制限部１３には、蓄電部１４に予め定めた値を超える電圧が生じたときのみ、安全装置として電流が流れるため、カレントトランス１０の２次側コイルに過大な電圧が生じた場合であっても、制御回路６Ａを保護できる。
【００３５】
また、本発明の電源アダプタ１に設置する制御回路は、図３に示した制御回路６Ａに限定されない。例えば、整流平滑部１２に、半波整流回路、倍電圧半波整流回路、倍電圧両波整流回路、コッククロフトウォルトン回路、コッククロフトウォルトン回路（両波整流型）等を採用してもよい。更に、この制御回路は、図４に例示した制御回路６Ｂのように、１つのダイオードで構成された整流平滑部１２と、発光ダイオード５０で構成された表示部５のみにより、構成されてもよい。制御回路６Ｂは、感度が低いものの構成が単純であるため、製造コストの低減及び小型化が可能となる。
【００３６】
図５に、本発明の異なる実施の形態の電源アダプタ１Ｃの概略を示す。この電源アダプタ１Ｃは、送電部４Ｃに、サーバー等の電源プラグの抜け止め機構を有する送電側端子８Ｃを有している。この抜け止め機構は、電源プラグを挿入後、一方向に回転させることにより、電源プラグが電源アダプタ１Ｃから抜けないように固定する機構である。この抜け止め機構は、例えば特開平１−２９８６６３号公報等に開示されている。また、電源アダプタ１Ｃは、本体２の送電部４Ｃを形成された面とは異なる面となる本体２上面であり且つ送電部４Ｃの近傍に配置された表示部５Ｃを有している。
【００３７】
この構成により、電源アダプタ１Ｃは以下の作用効果を得ることができる。第１に、抜け止め機構を採用した構成により、サーバー等の電源プラグが意図せず電源アダプタ１Ｃから抜ける事故を防止することができる。
【００３８】
第２に、表示部５Ｃを本体２上面に設置する構成により、作業者の視認性を向上することができる。例えば、ＬＥＤライト等の表示部を、送電部４Ｃに設置した場合、電源プラグの回転を阻害したり、電源プラグによって表示部が隠されてしまうような事態が発生し得る。図５の構成は、このような事態を回避することができる。この構成により、特に、多種の形状を有するサーバー等の電源プラグの形状が、いずれの形状であっても、作業者は容易に表示部５Ｃを確認することができる。
【００３９】
なお、表示部５Ｃは、本体２の壁面よりも内部側に埋没するように配置されてもよい。この構成により、電源プラグとの接触や、電源タップに接続された際に、電源アダプタ１Ｃ同士の接触による問題を回避することができる。また、抜け止め機構は、上記に限らず、例えば電源アダプタ１Ｃに接続した電源プラグを、冶具を介したねじ止め等により電源アダプタ１Ｃに固定する構成を有していてもよい。
【００４０】
図６に、本発明の異なる実施の形態の電源アダプタ１Ｄの概略を示す。この電源アダプタ１Ｄは、送電部４Ｄに送電側端子の代わりに設置された電源ケーブル１８を有している。この場合、送電部は、電源ケーブル１８の他端に形成されており、例えばサーバー等に直接接続するように構成することができる。また、本体２に設置された２つ以上の表示部５Ｄを有している。
【００４１】
上記の構成により、電源アダプタ１Ｄは以下の作用効果を得ることができる。第１に、電源アダプタ１Ｄから機器の電源プラグが抜ける事故を防止することができる。つまり、前述の抜け止め機構と同様の作用効果を得ることができる。
【００４２】
第２に、複数の表示部５Ｄを設置する構成により、作業者の作業性を向上することができる。これは、電源アダプタ１Ｄの設置状況にかかわらず、作業者は、複数の表示部５Ｄの内のいずれかを確認することができるからである。例えば、複数の電源アダプタ１Ｄが、鉛直方向に並ぶように電源タップに接続される場合、作業者は、電源アダプタ１Ｄの側方に設置された表示部５Ｄを容易に確認することができる。また、電源アダプタ１Ｄが、高所に設置されている場合は、作業者は、電源アダプタ１Ｄの下方に設置された表示部５Ｄを確認することができる。
【００４３】
図７に例示する実施形態の電源アダプタは、前述の電源アダプタを複数連結して１つに構成された特殊な電源アダプタ（以下、電源タップ２０という）である。電源タップ２０は、サーバー等の機器と、機器に電気を供給する電源の間に接続される。電源タップ２０は、本体２１と、本体２１から引き出されたケーブル端部に設置され且つ電源から交流電流を受ける受電部３と、本体２１の一面に設置され且つ受電部３で受電した交流電流を機器に供給する複数の送電部４と、本体２に設置された１つ以上の表示部５と、受電部３で受電した交流電流を直流電流に変換して表示部５に送る１つ以上の制御回路６（図示しない）と、を有している。
【００４４】
図８に例示する実施形態の電源タップ２０は、送電部４ごとにそれぞれ接続された制御回路６を有している。制御回路６は、図２の実施例で示したものと同様に、カレントトランス１０、整流平滑部１２、振幅制限部１３、充電部１４、電圧監視部１５及び表示部５を有している。
【００４５】
この構成により、電源タップ２０は、前述の電源アダプタ１と同様の作用効果を得ることができる。更に、電源タップ２０とした構成により、サーバーラック等に直接組み込むことが可能となる。
【００４６】
図９に例示する異なる実施形態の電源タップ２０Ｅは、例えば３つの送電部４に対して１つの制御回路６を接続した構成を有している。そのため、上記３つの送電部４の内、１つでも機器が接続され通電していれば、ＬＥＤ等で構成された表示部５は、点滅又は点灯する。この構成により、電源タップ２０Ｅに設置すべき制御回路６の数が減るため、電源タップ２０Ｅを低コスト且つ小型に製造できる。なお、制御回路６の１つあたりに接続される送電部４の数は、上記の３つに限られず２つ又は４つ以上としてもよい。
【００４７】
図１０に例示する実施形態のカレントトランス１０は、リング状のコア２４と、コア２４の一部に複数回巻きつけられた２次側コイル２５と、を有しており、送電部４の送電側端子８の１つが、リング状のコア２４の内側を貫通するように配置されている。コア２４が設置される送電側端子８は、機器等の電源プラグ３２が挿入される電源アダプタ１又は電源タップ２０の送電部４に設置されており、且つライブラインＬ又はニュートラルラインＮ（図２参照）に接続されている。つまり、送電部４と電源プラグ３２の接続により、カレントトランス１０の１次側コイルは、ライブラインＬ又はニュートラルラインＮが貫通した状態となり、カレントトランス１０が接続されたことになる。
【００４８】
この構成により、カレントトランス１０の設置位置の確保が容易となり、電源アダプタ１及び電源タップの小型化が可能となる。つまり、制御回路の中でも大きな容積を有するコア２４を、送電側端子８近傍の既存のスペースに配置できるため、従来の電源タップ等に対しても、制御回路を組み込むことが可能となる。
【００４９】
本発明の電源アダプタ１、１Ｃ、１Ｄ、及び電源タップ２０、２０Ｅにより、サーバーのメンテナンス等を行う作業者が、サーバーの電源プラグを抜く際に、サーバーの電源が入っているか否かを容易に判断でき、作業者の作業性を向上することのできる電源アダプ
タを提供することができる。なお、複数の表示部５を設置する構成、及び抜け止め機構等は、いずれの実施例においても適宜選択し、採用することができる。また、電源アダプタを接続する機器は、サーバーに限られず、不用意に電源が抜かれる事態を回避しなければならない他の機器にも同様に接続し、同様の作用効果を得ることができる。
【符号の説明】
【００５０】
１、１Ｃ、１Ｄ       電源アダプタ
２     本体
３     受電部
４、４Ｃ、４Ｄ       送電部
５、５Ｃ、５Ｄ       表示部
６     制御回路
１０   カレントトランス
１２   整流平滑部
１４   蓄電部
１５   電圧監視部
２０、２０Ｅ  電源タップ
【要約】
【課題】
サーバーのメンテナンス等を行う作業者が、サーバーの電源プラグを抜く際に、サーバーの電源が入っているか否かを容易に判断でき、作業者の作業性を向上することのできる電源アダプタ１を提供する。
【解決手段】
機器３１と、機器３１に電気を供給する電源３３との間に接続される電源アダプタ１であって、電源アダプタ１が、本体２と、本体２の一端に設置され且つ電源から交流電流を受ける受電部３と、本体２の他端に設置され且つ受電部３で受電した交流電流を機器に供給する送電部４と、本体２に設置された１つ以上の表示部５と、受電部３で受電した交流電流を直流電流に変換して表示部５に送る制御回路６と、を有しており、表示部５が、制御回路６から送られた直流電流により、点滅又は点灯する構成を有している。
【選択図】図１【図１】
0005468703.tif 000004
【図２】
0005468703.tif 000005
【図３】
0005468703.tif 000006
【図４】
0005468703.tif 000007
【図５】
0005468703.tif 000008
【図６】
0005468703.tif 000009
【図７】
0005468703.tif 000010
【図８】
0005468703.tif 000011
【図９】
0005468703.tif 000012
【図１０】
0005468703.tif 000013
【図１１】
0005468703.tif 000014